(57)【要約】ＩＥＥＥ８０２．１１など、データ通信において使用されるビーコン信号に、データ拡張子が提供される。データ拡張子は、追加の情報がビーコン信号によって提供されることを可能にする。周期的ビーコン要求は、ＷＬＡＮ（１２、１３）上の無線送受信ユニット（ＷＴＲＵ、１７、１８、１９）とアクセスポイント（ＡＰ）の間の接続中に行われる。ビーコン要求に対応する測定要求フィールド（２６）は、その要求が適用される測定継続期間値およびチャネル番号を含む。ビーコン要求はスキャンモードを可能にし、スキャンモードには、「アクティブスキャン」モード、「パッシブスキャン」モードおよび「ビーコンテーブル」モードが含まれる。
2007502091.tif 000002
【特許請求の範囲】
【請求項１】
ビーコン要求に応答するビーコン信号を送信する少なくとも１つのアクセスポイントを利用する無線通信システムにおいて、前記ビーコン信号はチャネル、測定およびモードデータを指示するために使用され、前記システムを拡張して追加の信号情報を組み込むための方法であって、
前記ビーコン要求の少なくとも１つの拡張子（extension）を提供し、該拡張子は信号状態の測定を提供することを特徴とする方法。
【請求項２】
請求項１に記載の無線通信システムにおいて、前記拡張子は、ＢＳＳＩＤ、測定期間、レポーティング条件、しきい値、測定のオフセットおよびヒステリシスのうち１つを含むことを特徴とする無線通信システム。
【請求項３】
請求項１に記載の無線通信システムにおいて、前記拡張子は、ＰＳＮＩおよびＲＣＰＩ測定のうち１つを含むことを特徴とする無線通信システム。
【請求項４】
請求項１に記載の無線通信システムにおいて、前記無線通信システムは無線ＬＡＮ接続を実施し、前記ビーコン信号は前記ＬＡＮ接続の前記実施において提供されることを特徴とする無線通信システム。
【請求項５】
請求項１に記載の無線通信システムにおいて、
応答プロトコルはビーコン拡張子を含み、
前記ビーコン拡張子は、周期的測定のための繰り返し時間間隔を表す符号なし整数として提供された、期間サブフィールドを含むことを特徴とする無線通信システム。
【請求項６】
請求項１に記載の無線通信システムにおいて、
応答プロトコルはビーコン拡張子を含み、
前記ビーコン拡張子は期間サブフィールドを含み、前記期間サブフィールドは、１４ＬＳＢを、周期的測定のための繰り返し時間間隔を表す符号なし整数として備え、０の期間サブフィールド値は、単発の非周期的測定を指示することを特徴とする無線通信システム。
【請求項７】
請求項１に記載の無線通信システムにおいて、前記ビーコン要求拡張子は、周期的測定のための繰り返し時間間隔を表す符号なし整数として提供された、期間サブフィールドを含むことを特徴とする無線通信システム。
【請求項８】
請求項１に記載の無線通信システムにおいて、前記ビーコン要求拡張子は期間サブフィールドを含み、前記期間サブフィールドは、１４ＬＳＢを、周期的測定のための繰り返し時間間隔を表す符号なし整数として備え、０の期間サブフィールド値は、単発の非周期的測定を指示することを特徴とする無線通信システム。
【請求項９】
無線ローカルエリアネットワーク（ＷＬＡＮ）において、ビーコン信号を利用するアクセスポイント（ＡＰ）を操作するための方法であって、
前記ビーコン信号において、ローミング、動的データ転送速度調整、および関連信号コントロール機能のうち１つをサポートするために、ビーコン要求に応答して、周期的測定を提供すことを特徴とする方法。
【請求項１０】
請求項９に記載の方法において、前記ＷＬＡＮはＷＬＡＮ接続を実施し、前記ビーコン信号は前記ＷＬＡＮ接続の前記実施において提供されることを特徴とする方法。
【請求項１１】
請求項９に記載の方法において、拡張子が、ＢＳＳＩＤ、測定期間、レポーティング条件、しきい値、測定のオフセットおよびヒステリシスのうち１つを含むことを特徴とする方法。
【請求項１２】
請求項９に記載の方法において、拡張子は、ＰＳＮＩおよびＲＣＰＩ測定のうち１つを含むことを特徴とする方法。
【請求項１３】
請求項９に記載の方法において、
応答プロトコルはビーコン拡張子を含み、
前記ビーコン拡張子は、周期的測定のための繰り返し時間間隔を表す符号なし整数として提供された、期間サブフィールドを含むことを特徴とする方法。
【請求項１４】
請求項９に記載の方法において、
応答プロトコルはビーコン拡張子を含み、
前記ビーコン拡張子は期間サブフィールドを含み、前記期間サブフィールドは、１４ＬＳＢを、周期的測定のための繰り返し時間間隔を表す符号なし整数として備え、０の期間サブフィールド値は、単発の非周期的測定を指示することを特徴とする方法。
【請求項１５】
請求項９に記載の方法において、ビーコン要求拡張子は、周期的測定のための繰り返し時間間隔を表す符号なし整数として提供された、期間サブフィールドを含むことを特徴とする方法。
【請求項１６】
請求項９に記載の方法において、さらに、ビーコン要求拡張子が期間サブフィールドを含み、前記期間サブフィールドは、１４ＬＳＢを、周期的測定のための繰り返し時間間隔を表す符号なし整数として備え、０の期間サブフィールド値は、単発の非周期的測定を指示することを特徴とする方法。
【請求項１７】
少なくとも１つのアクセスポイント（ＡＰ）および少なくとも１つの無線送受信ユニット（ＷＴＲＵ）を含む、無線ローカルエリアネットワーク（ＷＬＡＮ）において、ＷＴＲＵを操作するための方法であって、
少なくとも１つの測定応答を含むビーコン要求を提供することと、
前記要求に応答してビーコン信号を受信することと、
前記ビーコン信号において提供される場合、前記測定応答を得ることを特徴とする方法。
【請求項１８】
請求項１７に記載の方法において、前記測定応答は、ローミングをサポートするための測定、動的データ転送速度調整をサポートするための測定、および関連信号コントロール機能をサポートするための測定のうち１つを含むことを特徴とする方法。
【請求項１９】
請求項１７に記載の方法において、無線通信システムが前記ＷＬＡＮ接続を実施し、前記ビーコン信号は前記ＷＬＡＮ接続の前記実施において提供されることを特徴とする方法。
【請求項２０】
請求項１７に記載の方法において、ビーコン要求拡張子は、ＢＳＳＩＤ、測定期間、レポーティング条件、しきい値、測定のオフセットおよびヒステリシスのうち１つを含むことを特徴とする方法。
【請求項２１】
請求項１７に記載の方法において、ビーコン要求拡張子は、ＰＳＮＩおよびＲＣＰＩ測定のうち１つを含むことを特徴とする方法。
【請求項２２】
請求項１７に記載の方法において、
応答プロトコルはビーコン拡張子を含み、
前記ビーコン拡張子は、周期的測定のための繰り返し時間間隔を表す符号なし整数として提供された、期間サブフィールドを含むことを特徴とする方法。
【請求項２３】
請求項１７に記載の方法において、
応答プロトコルはビーコン拡張子を含み、
該ビーコン拡張子は期間サブフィールドを含み、該期間サブフィールドは、１４ＬＳＢを、周期的測定のための繰り返し時間間隔を表す符号なし整数として備え、０の期間サブフィールド値は、単発の非周期的測定を指示することを特徴とする方法。
【請求項２４】
請求項１７に記載の方法において、ビーコン要求拡張子は、周期的測定のための繰り返し時間間隔を表す符号なし整数として提供された、期間サブフィールドを含むことを特徴とする方法。
【請求項２５】
請求項１７に記載の方法において、ビーコン要求拡張子は期間サブフィールドを含み、前記期間サブフィールドは、１４ＬＳＢを、周期的測定のための繰り返し時間間隔を表す符号なし整数として備え、０の期間サブフィールド値は、単発の非周期的測定を指示することを特徴とする方法。
【発明の詳細な説明】
【技術分野】
【０００１】
本発明は無線スロット通信およびネットワーク管理で使用されるビーコン測定要求信号に関する。より詳細には、本発明は、新たなビーコン受信電力レベルまたは信号品質などの、パラメータの周期的測定を用いるネットワーク管理に関する。
【背景技術】
【０００２】
ＩＥＥＥ８０２．１１通信プロトコルは、同じまたは別々のチャネル上で動作中である可能性のある複数のアクセスポイントの間でクライアントがローミングすることを可能にしている。ＩＥＥＥ８０２．１１通信は一般に、通常は単一のスタンドアロンユニットである無線ＬＡＮのアクセスポイント（ＡＰ）を通じて実施されるが、ローミング機能を備えた複数のＡＰを持つネットワークを含むことができる。ローミング機能をサポートするために、各アクセスポイントは通常、ビーコン信号を１００ｍｓおきに送信する。ローミングステーション（ＳＴＡ）はビーコンを使用して、その現在のアクセスポイントの接続強度を測定する。ＳＴＡは弱信号を感知すると、そのローミングしているＳＴＡが再連結サービスを実施して、より強い信号を発信するアクセスポイントに接続することができる。
【０００３】
ＩＥＥＥ８０２．１１は２つの電力モード、すなわちアクティブ（動作中）および省電力（ＰＳ）をサポートする。インフラストラクチャネットワークのためのプロトコルとアドホックネットワークのプロトコルは異なる。インフラストラクチャネットワーク下に、各モバイルステーションのモードをモニタリングするためのＡＰがある。アクティブモードのステーションは十分に電力供給され、したがっていかなるときにも送信および受信することができる。一方、ＰＳモードのステーションは、周期的にのみウェイクアップ（目覚める）して、ＡＰからの可能性のある着信パケットをチェックする。ステーションは常に、モードを変更するときにそのＡＰに通知する。周期的に、ＡＰは固定のビーコン間隔によって間隔をあけられたビーコンフレームを送信する。ＰＳステーションはこれらのフレームをモニタリングすることになる。各ビーコンフレームでは、トラフィックインジケーションマップ（ＴＩＭ）が配信され、ＴＩＭは、ＡＰにおいてバッファされたユニキャストパケットと共にこれらのＰＳステーションのＩＤを含む。ＰＳステーションはそのＩＤの連絡をもらうと、残存のビーコン区間に渡ってアウェイクのままでいなければならない。コンテンション期間（すなわち、ＤＣＦ）の下で、アウェイクのＰＳステーションはＰＳ−ＰＯＬＬをＡＰに発行して、バッファされたパケットを検索することができる。一方、コンテンションフリー期間（すなわち、ＰＣＦ）の下で、ＰＳステーションはＡＰがそれをポーリングすることを待機する。ＡＰはＴＩＭ（ＤＴＩＭ）をビーコンフレーム内で配信して、バッファリングされたブロードキャストパケットが存在ことを指示する。配信ＴＩＭはビーコン間隔固定によって間隔をあけられている。ＤＴＩＭの直後に、バッファリングされたブロードキャストパケットが送信される。
【０００４】
ＩＥＥＥ８０２．１１では、そのモバイルステーション（移動局）が十分に接続されると見なされるので、ビーコンフレームの送信を使用して、すべてのステーションのビーコン間隔を同期させることができる。ＩＥＥＥ８０２．１１における使用に加えて、ビーコン信号は一般に他のＷＬＡＮ（無線ＬＡＮ）通信および無線通信において有用である。周期的測定は、第３世代パートナーシッププログラム（３ＧＰＰ）広帯域符号分割多元接続（Ｗ−ＣＤＭＡ）システムを実施するシステムにおいて実行される。このようなシステムは時分割二重化モードを使用する。ＩＥＥＥ８０２．１１規格におけるより高い層の機能を、効率的ネットワーク管理のためにサポートするために、ネットワーク管理の異なる状況に関係するいくつかの物理的パラメータが望ましい。
【０００５】
１つのこのようなパラメータは感知信号対雑音インジケータ（ＰＳＮＩ）であり、その測定は、すべてのチャネル／転送速度について、および、すべての物理チャネルの間で、およびすべてのステーションの間で、受信信号品質の量子化された比較の測度を提供する。もう１つのパラメータは、受信チャネル電力インジケータ（ＲＣＰＩ）インジケータであり、選択されたチャネルにおける、アンテナコネクタで測定された、受信ＲＦ電力の測度である。ＲＣＰＩパラメータを、ＰＬＣＰプリアンブルに渡って、および、受信フレーム全体に渡って測定された、チャネルにおける受信ＲＦ電力のＰＨＹサブレイヤによる測度にすることができる。ＲＣＰＩは、ｄＢｍ単位で定義された受信電力レベルの単調増加の対数関数である。ＲＣＰＩパラメータに対する例示的な容認された値を、０から２２０の範囲の８ビット値とすることができる。
【０００６】
既知の手法では、パラメータＲＣＰＩおよびＰＳＮＩの測定は単発の測定（single measurement）として行われているが、この手法には若干の不都合がある。上記のパラメータ、例えば、ＲＣＰＩおよびＰＳＮＩの測定を行う、改善された方法を提供して、より効率的なネットワーク管理の結果となるような特定の利点をもたらすことが望ましい。
【発明の開示】
【発明が解決しようとする課題】
【０００７】
本発明によれば、新しいビーコン要求の周期的測定は、ローミングおよび動的データ転送速度調整、ならびに関連機能をサポートするために使用される。
【課題を解決するための手段】
【０００８】
周期的測定についてのコンセプトは、時分割二重化モードを利用する、第３世代パートナーシッププログラム（３ＧＰＰ）広帯域符号分割多元接続（Ｗ−ＣＤＭＡ）システムを実施するシステムにおいての周期的測定に幾分類似のやり方で実行される。
【発明を実施するための最良の形態】
【０００９】
以下、無線送受信ユニット（ＷＴＲＵ）には、それに限定されないが、ユーザ機器、モバイルステーション、固定もしくはモバイル加入者ユニット、ページャ（ポケットベル）、または無線環境内で動作することができる他のいかなるタイプのデバイスもが含まれる。以下で参照されるとき、アクセスポイントには、それに限定されないが、ノードＢ、サイトコントローラ、アクセスポイント、または無線環境内の他のいかなるタイプのインターフェースデバイスもが含まれる。
【００１０】
通常のＩＥＥＥ８０２．１１実施態様における「アクセスポイント」（ＡＰ）は、デバイスがＬＡＮとの無線接続を確立するための無線アクセスを提供する、ステーションまたはデバイスであり、無線ＬＡＮ（ＷＬＡＮ）の一部を確立する。ＡＰがＷＬＡＮ上の固定デバイスである場合、ＡＰは、データを送信および受信するステーションである。ＷＬＡＮ自体がネットワークへの接続を有するならば、ＡＰは、ネットワークへのＷＴＲＵの接続を可能にする。
【００１１】
例えば、ＲＣＰＩおよびＰＳＮＩなどのパラメータの測定を行うことによるネットワーク管理は、１回限りの測定の方法ではなく、周期的に実行される。ネットワークパフォーマンスにおいて周期的測定を行う影響、および付随する利点を、好ましい実施形態の説明においての対象とする。具体的には、ビーコン要求拡張子において周期的測定を行って、ローミングおよび動的データ転送速度をサポートする有益な効果を対象とする。本発明を一実施例としてＩＥＥＥ８０２．１１規格との特定の関連で説明するが、本発明は他のシナリオにもまた適用可能であると想定される。
【００１２】
周期的ビーコン要求は、ＷＬＡＮ上のＷＴＲＵとＡＰの間の接続中に行われる。ビーコン要求に対応する測定要求フィールドは、その要求が適用される測定継続期間値およびチャネル番号を含む。ビーコン要求はスキャンモード（走査モード）を可能にし、スキャンモードには、「アクティブスキャン」モード、「パッシブスキャン」モードおよび「ビーコンテーブル」モードが含まれる。アクティブスキャンモードでは、測定ステーション（ＳＴＡ）はプローブ要求をブロードキャストサービスステーション識別子（ＳＳＩＤ）と共に送信する。測定ＳＴＡのビーコンレポートは、ブローブ応答が測定ＳＴＡ自体のプローブ要求によってトリガされたかどうかにかかわらず、それがビーコンまたはプローブ応答を検出する元の各ＳＴＡにつき１つの情報要素を含む。パッシブスキャンモードでは、測定ＳＴＡは指定されたチャネル上で受動的に受信し、それがビーコンまたはプローブ応答を検出する元の各ＳＴＡにつき１つの情報要素を含むビーコンレポートを戻す。測定チャネルがまたサービスチャネルでもある場合、ＳＴＡは同時にその通常のデータトラフィックオペレーションを実行する。ビーコンテーブルモードでは、測定ＳＴＡは、追加の測定を実行することなく、そのビーコンテーブルの現在のコンテンツを含むビーコンレポートを戻す。測定継続期間フィールドは、要求された測定の継続期間に等しく設定され、タイムユニット（ＴＵ）で表現される。
【００１３】
以下は、単発の測定手法と比較した、周期的測定のいくつかの潜在的な利点である。
【００１４】
周期的測定は管理トラフィックを低減する。単発測定要求は複数のレポートを作成するが、関連のあるときのみに限られる。
【００１５】
ＰＳＮＩ測定における絶対しきい値交差（crossing）は、データ転送速度変更をトリガするために理想的である。
【００１６】
ＲＣＰＩにおける絶対しきい値交差は、ロケーションについての近接検出器のために理想的である。
【００１７】
サービスＡＰに対する相対しきい値は、ハンドオフのための条件を検出する。
【００１８】
ビーコン要求はまた、周期的ビーコン測定を指定する周期的拡張子（情報フィールド）をも含む。この拡張子フィールドは、周期的測定、および、測定結果の条件付きレポーティングのためのパラメータを提供するために使用される。これらは、管理トラフィックを低減する周期的測定を提供し、単発の測定要求が複数のレポートを作成するようにする。複数のレポートは、関連があると見なされるときにのみ提供される。感知信号対雑音インジケータ（ＰＳＮＩ）における絶対値しきい値交差を、測定レポートを提供するための条件として使用することができる。ＰＳＮＩにおける測定は、データ転送速度変更をトリガするために適切である。受信チャネル電力インジケータ（ＲＣＰＩ）における絶対値しきい値交差を、測定レポートを提供するための条件として使用することができる。
【００１９】
周期的拡張子は、ビーコン要求における追加のフィールドであり、周期的ビーコン測定のために使用される。周期的測定を行う機能は、ＡＰにとってオプショナルの機能であり、したがって、周期的ビーコン測定を行うことができないＡＰは周期的拡張子を無視するようになる。ビーコン要求は、測定を実行するための要求である。ビーコンレポートは、要求されたビーコン測定の結果を含む応答である。
【００２０】
絶対しきい値交差は、ＡＰに対するロケーションおよび概算位置を決定するために使用される、近接検出器に適切である。サービスＡＰに対する相対しきい値は、ハンドオフのための条件を検出するために使用される。
【００２１】
ビーコン要求に対応する測定要求フィールドを表１に示し、このフィールドは、その要求が適用される測定継続期間およびチャネル番号を含む。また、表１には、周期的測定および条件付きレポーティングを指定するために必要とされる拡張子（追加の情報フィールド）も含まれる。表１は全体的に、ビーコン要求のための測定要求フィールドフォーマットを示す。現在の測定についての例示は、チャネル番号、チャネルバンド、測定継続期間およびスキャンモードについてのオクテットの数を示す。表１はまた、比較のために、基本サービスセット識別子（ＢＳＳＩＤ）、測定期間、レポーティング条件、しきい値／オフセット、およびヒステリシス効果に関する、周期的拡張子についてのオクテットをも示す。より詳細には、ビーコン要求に対応する測定要求フィールドを表１に示し、このフィールドは、その要求が適用される測定継続期間およびチャネル番号を含む。ビーコン要求への応答は、ビーコンレポートである。
【００２２】
【表１】
2007502091.tif 000003
【００２３】
ＡＰが周期的測定を実行することができず、したがって拡張子を認識しない場合、ＡＰは拡張子を無視し、単発の測定および単発のレポートを提供する。
【００２４】
表１では、チャネル番号は、それにおいて要求ＳＴＡが受信ＳＴＡに、検出されたビーコンおよびプローブ応答をレポートするように命令する、チャネル番号を指示する。ビーコン要求では、チャネル番号フィールドは、それにおいて要求ＳＴＡが受信ＳＴＡに、検出されたビーコンおよびプローブ応答をレポートするように命令する、チャネル番号を指示する。チャネルバンドフィールドは、それにおいて受信ＳＴＡがその測定を行う、表１から取られた周波数バンドを指示する。スキャンモードフィールドは、表２（下記）に従って、スキャンのタイプに設定される。スキャンの動きは以下の通りである。
【００２５】
−  アクティブスキャンモードでは、測定ＳＴＡはプローブ要求をブロードキャストＳＳＩＤと共に送信する。測定ＳＴＡのビーコンレポートは、ブローブ応答が測定ＳＴＡ自体のプローブ要求によってトリガされたかどうかにかかわらず、それがビーコンまたはプローブ応答を検出する元の各ＳＴＡにつき１つの情報要素を含む。
【００２６】
−  パッシブスキャンモードでは、測定ＳＴＡは指定されたチャネル上で受動的に受信し、それがビーコンまたはプローブ応答を検出する元の各ＳＴＡにつき１つの情報要素を含むビーコンレポートを戻す。測定チャネルがまたサービスチャネルでもある場合、ＳＴＡは同時にその通常のデータトラフィックオペレーションを実行する。
【００２７】
−  ビーコンテーブルモードでは、測定ＳＴＡは、追加の測定を実行することなく、そのビーコンテーブルの現在のコンテンツを含むビーコンレポートを戻す。
【００２８】
測定継続期間フィールドは、要求された測定の継続期間に等しく設定され、ＴＵで表現される。
【００２９】
表２および表３は、無線測定要求のためのチャネルバンド定義、および、ビーコン要求要素のためのスキャンモード定義を示す。
【００３０】
【表２】
2007502091.tif 000004
【００３１】
【表３】
2007502091.tif 000005
【００３２】
ＢＳＳＩＤ（基本サービスセット識別子）は、それに対してこの測定が要求される特定のＡＰのＢＳＳＩＤを指示する。ＢＳＳＩＤは、いくつかのＡＰが所与のチャネル上で検出可能であるとき、どのＡＰを測定するべきであるかを指定する。ＢＳＳＩＤは、測定がこのチャネル上のいずれかのＡＰにおいて実行されるとき、ブロードキャストＢＳＳＩＤに設定される。ブロードキャストＢＳＳＩＤは、ＡＰ  ＢＳＳＩＤが未知であるときに使用される。
【００３３】
測定期間は、この測定が単発の測定イベントであるか、各測定期間に繰り返される周期的測定であるかを指示する。測定期間は２つのサブフィールド、すなわち、ユニットおよび期間に分割される。ユニットサブフィールドは、期間サブフィールドのためのタイムユニットを定義し、以下の値を有する２ＭＳＢからなる。
【００３４】
期間サブフィールドは１４ＬＳＢからなり、この周期的測定のための繰り返し時間間隔を表す符号なし整数である。０（零）の期間サブフィールド値は、その測定が周期的ではなく単発測定であることを指示する。１６３８３（１６進で３ＦＦＦ）の期間サブフィールド値は、その測定が周期的であり、要求された測定期間を有していないことを指示し、この場合、測定はベストエフォート（best effort）方式の基板（ basis）で、条件が許す限り頻繁に実行される。
【００３５】
レポーティング条件は、測定結果が要求ＳＴＡにレポートされるときを定義する。レポーティング条件値は、表４で定義される。
【００３６】
【表４】
2007502091.tif 000006
【００３７】
しきい値／オフセットは、条件付きレポーティングのために使用されるべきしきい値またはオフセット値のいずれかを提供する。しきい値は、ＰＳＮＩまたはＲＣＰＩと等しいユニットを有する、符号なし８ビット整数である。オフセット値は、（−１２７，＋１２７）の範囲における符号付き７ビット整数である。
【００３８】
ヒステリシスは、しきい値／オフセットフィールドで使用されたユニットと等しいユニットを有する、符号なし８ビット整数ヒステリシス値を提供する。
【００３９】
図１は、１つまたは複数のＷＬＡＮ１２、１３がＷＴＲＵ１５と、１つまたは複数のＡＰ１７〜１９を通じて通信する、ネットワーク構成の概略図である。図示の実施例では、ＷＬＡＮ１２、１３はネットワークリンク２２を、直接または無線ネットワークコントローラ（ＲＮＣ）２３を通じて確立することができる。
【００４０】
図２は、測定またはレポートのタイプを示すチャート（図表）であり、イベント検出がどのようにレポートをトリガするか、または、周期的レポーティングをトリガするかを示す。具体的には、図２は、比較のために、ＰＳＮＩおよびＲＣＰＩについての単発レポートシナリオを、絶対しきい値、サービスＡＰしきい値、サービスＡＰ周期的範囲についての類似の周期的条件付きレポートと比べて例示する。また、比較のために、各トリガイベントについての周期的レポーティングも例示される。一番広いカテゴリは測定２６である。ここで用いられている、「測定」を測定またはレポートとすることができる。その測定２６は単発（single）測定２７または周期的測定２８である可能性がある。単発測定は単発レポート２９を生成し、このレポートは、単発レポートＰＳＮＩ３０および単発レポートＲＣＰＩ３１を含む。周期的測定２８は条件付きレポート３２または周期的レポート３３を生成することができる。条件付きレポート３２は、絶対しきい値３４、サービスＡＰしきい値３５、またはサービスＡＰ周期的範囲（service AP periodic range）３６を提供することができる。絶対しきい値３４には、絶対しきい値ＰＳＮＩ３７および絶対しきい値ＲＣＰＩ３８が含まれる。サービスＡＰしきい値３５には、サービスＡＰしきい値ＰＳＮＩ４７およびサービスＡＰしきい値ＲＣＰＩ４８が含まれる。サービスＡＰ周期的範囲３６には、サービスＡＰ周期的範囲ＰＳＮＩ５７およびサービスＡＰ周期的範囲ＲＣＰＩ５８が含まれる。周期的レポート３３には、周期的レポートＰＳＮＩ６７および周期的レポートＲＣＰＩ６８が含まれる。
【００４１】
加えて、単発レポート２９を、絶対しきい値ＰＳＮＩ３７および絶対しきい値ＲＣＰＩ３８を含む絶対しきい値３４に基づいて、条件付きでレポートすることができる。また、単発レポート２９を、サービスＡＰしきい値ＰＳＮＩ４７およびサービスＡＰしきい値ＲＣＰＩ４８を含むサービスＡＰしきい値３５に基づいて、条件付きでレポートすることもできる。サービスＡＰ周期的範囲は単発レポート２９には使用されないが、サービスＡＰ周期的範囲ＰＳＮＩ５７およびサービスＡＰ周期的範囲ＲＣＰＩ５８を含むサービスＡＰ周期的範囲３６を、周期的測定レポーティングのために提供することができる。
【００４２】
単発測定２７および周期的測定２８は、測定タイプである。単発レポート２９、条件付きレポート３２、周期的レポート、絶対しきい値３４、サービスＡＰしきい値３５、およびサービスＡＰ周期的範囲３６は、イベントをトリガする。測定結果は、単発レポートＰＳＮＩ３０、単発レポートＲＣＰＩ３１、絶対しきい値ＰＳＮＩ３７、絶対しきい値ＲＣＰＩ３８、サービスＡＰしきい値ＰＳＮＩ４７、サービスＡＰしきい値ＲＣＰＩ４８、サービスＡＰ周期的範囲ＰＳＮＩ５７、サービスＡＰ周期的範囲ＲＣＰＩ５８、周期的レポートＰＳＮＩ６７および周期的レポートＲＣＰＩ６８である。条件付きレポーティングでは、イベント検出がこれらの単発イベントレポーティング出力または周期的レポーティング出力のうち１つまたは複数をトリガする。
【００４３】
図３は、データ転送速度選択における絶対しきい値の効果を示すグラフであり、５．５Ｍｂｐｓ、２．０Ｍｂｐｓおよび１．０Ｍｂｐｓのレート（転送速度）をそれぞれ有する、３つの異なるチャネルについての時間に対する測定量の変化を例示する。グラフの最初の時間で、ＳＴＡ１は、ＳＴＡで測定されるとき、実質的に絶対しきい値よりも低い、ＡＰからの低いＰＳＮＩレベルを受信する。このレートは１Ｍｂｐｓで確立される。ＳＴＡ２およびＳＴＡ３は、絶対しきい値レベルよりも上のＰＳＮＩレベルを有する。時間が進むにつれて、ＳＴＡ３は、第２のしきい値を超えるＰＳＮＩレベルを受信しており、その後に絶対しきい値よりも下へと落ちる。ＳＴＡ３はしたがって、５．５Ｍｂｐｓレートに変化することができるが、ＰＳＮＩレベルが落ちるにつれて、２Ｍｂｐｓレートに、および最終的には１Ｍｂｐｓレートに落ちてしまう。ＳＴＡ２は後まで２Ｍｂｐｓレートのまま残り、そのときＳＴＡ２は５．５Ｍｂｐｓレートに変化するために十分なＰＳＮＩレベルを有する。そのＡＰからのリソースが使用可能となるならば、より高いレートまたはＰＳＮＩレベルを有するＡＰを選択することによって、ＰＳＮＩレベルにおけるこれらの変化を使用してＡＰを変更することもできる。
【００４４】
図４は、サービスＡＰをハンドオフのために使用する相対しきい値を示すグラフである。この図はまた、レポーティングイベントを示すロケーションで交差するＡＰ１およびＡＰ２についての時間に対する測定量の変化をも例示する。このグラフは、ＳＴＡによって第１のＡＰ（サービスＡＰ）および第２のＡＰ（ＡＰ２）から受信された信号を示す。サービスＡＰについての測定はオフセットだけ低くされ、ここではＡＰ２に有利に働くためにＰＳＮＩが低くされる。したがって、サービスＡＰのためのＰＳＮＩの測定は、人為的にオフセットだけ低くされる。これは、オフセットの結果として、ハンドオフの早期トリガを引き起こす。
【００４５】
図５は、レポーティングオフセットの効果を示すグラフであり、レポーティング範囲およびレポーティングが終了するときを示す、ＡＰ１、２および３のための相対しきい値トリガを示す。このグラフは、ＩＳＣＰしきい値およびレポーティングイベントを示す、タイムスロットＩＳＣＰ対時間を例示する。ＰＳＮＩレベルのイベントトリガおよび周期的レポートはそれぞれ、オフセットの結果として、低減されたＰＳＮＩレベルのインスタンスを示す。サービスＡＰ３のレポーティングは、第３のＡＰであるＡＰ３からレポートされたＰＳＮＩのピーク期間中に継続するが、ＡＰ３からの信号が、サービスＡＰからのＰＳＮＩのオフセットレポーティングより下に落ちるとき、中断する。
【００４６】
図６は、サービスＡＰのＲＣＰＩレベルを示すグラフである。ここでのトリガイベントは、絶対しきい値が超えられることである。トリガイベントはレポートをトリガする。
【００４７】
本発明の特徴および要素を、特定の組合せにおける好ましい実施形態において説明するが、各特徴または要素を単独で（好ましい実施形態の他の特徴および要素なしに）、または、本発明の他の特徴および要素の有無にかかわらず、様々な組合せにおいて使用することができる。
【図面の簡単な説明】
【００４８】
【図１】ＷＬＡＮが無線送受信ユニット（ＷＴＲＵ）と、１つまたは複数のアクセスポイントを通じて通信する、ネットワーク構成の概略図である。
【図２】測定またはレポートのタイプを示すチャートである。
【図３】データ転送速度選択における絶対しきい値の効果を示すグラフである。
【図４】サービスＡＰをハンドオフのために使用する、相対しきい値を示すグラフである。
【図５】レポーティングオフセットの効果を示すグラフである。
【図６】サービスＡＰの受信チャネル電力インジケータ（ＲＣＰＩ）レベルを示すグラフである。
【図１】
2007502091.tif 000007
【図２】
2007502091.tif 000008
【図３】
2007502091.tif 000009
【図４】
2007502091.tif 000010
【図５】
2007502091.tif 000011
【図６】
2007502091.tif 000012
【国際調査報告】
2007502091.tif 000013